(57)【要約】風車制御装置（１８）は、ウインドファーム（１０）を構成する複数の風力発電装置（１６）の各々に設けられており、制御対象とする風力発電装置（１６）の風車データを他の風力発電装置（１６）の風車制御装置（１８）へ送信し、他の風力発電装置（１６）の風車制御装置（１８）から該他の風力発電装置（１６）に関する風車データを受信する。そして、風車制御装置（１８）は、制御対象とする風力発電装置（１６）の風車データ、及び他の風力発電装置（１６）の風車データに基づいて、制御対象とする風力発電装置（１６）を制御するので、ウインドファームの運転状況に応じて、ウインドファームを構成する風力発電装置の制御の変更をより迅速に行うことができる。
2012056564.tif 000002
【特許請求の範囲】
【請求項１】
ウインドファームを構成する複数の風力発電装置の各々に設けられている制御装置であって、
制御対象とする前記風力発電装置に関するデータを、他の前記風力発電装置へ送信する送信手段と、
他の前記風力発電装置から送信されてくる該他の前記風力発電装置に関するデータを受信する受信手段と、
制御対象とする前記風力発電装置に関するデータ、及び前記受信手段によって受信された他の前記風力発電装置に関するデータに基づいて、制御対象とする前記風力発電装置を制御する制御手段と、
を備えた制御装置。
【請求項２】
複数の前記風力発電装置は、予め定められた基準に基づいて複数にグループ化され、
前記受信手段は、制御対象とする前記風力発電装置が属しているグループに属する他の前記風力発電装置に関するデータを受信し、
前記制御手段は、制御対象とする前記風力発電装置に関するデータ、及び前記受信手段によって受信された、制御対象とする前記風力発電装置が属しているグループに属する他の前記風力発電装置に関するデータに基づいて、制御対象とする前記風力発電装置を制御する請求項１記載の制御装置。
【請求項３】
前記基準は、風況又は前記風力発電装置の運転状態に応じて変更可能とされている請求項２記載の制御装置。
【請求項４】
前記風力発電装置に関するデータには、該風力発電装置の風速及び風向が含まれ、
前記制御手段は、制御対象とする前記風力発電装置に関するデータ、及び前記受信手段によって受信された他の前記風力発電装置に関するデータから、前記ウインドファーム内の風向及び風速の少なくとも何れか一方の分布を生成し、生成した該分布に基づいて、制御対象とする前記風力発電装置を制御する請求項３に記載の制御装置。
【請求項５】
請求項１から請求項４の何れか１項記載の制御装置が各々設けられている複数の風力発電装置
を備えたウインドファーム。
【請求項６】
複数の前記風力発電装置に関するデータを管理する管理装置を備え、
複数の前記風力発電装置各々に設けられている前記制御装置のうち、所定の制御装置に備えられている前記送信手段は、該所定の制御装置の制御対象とする前記風力発電装置に関するデータ、及び前記受信手段によって受信された他の前記風力発電装置に関するデータを、前記管理装置へ送信する請求項５記載のウインドファーム。
【請求項７】
ウインドファームを構成する複数の風力発電装置の各々に設けられている制御装置で行われる制御方法であって、
制御対象とする前記風力発電装置に関するデータの他の前記風力発電装置への送信、及び他の前記風力発電装置から送信されてくる該他の前記風力発電装置に関するデータの受信を行う第１工程と、
制御対象とする前記風力発電装置に関するデータ、及び受信した他の前記風力発電装置に関するデータに基づいて、制御対象とする前記風力発電装置を制御する第２工程と、
を含む風力発電装置の制御方法。
【発明の詳細な説明】
【技術分野】
【０００１】
本発明は、風力発電装置の制御装置、ウインドファーム、及び風力発電装置の制御方法に関するものである。
【背景技術】
【０００２】
近年、複数の風力発電装置で構成されると共に、電力系統へ電力を供給するウインドファームが普及しつつある。
このようなウインドファームから供給される電力は、風況により変動するため電力系統の安定化のための風力発電装置の制御として、出力制限、ランプレート制御、無効電力制御、周波数制御等が知られている。【０００３】
これら風力発電装置に対する制御は、非特許文献１に記載されているように、ウインドファームコントローラが、ウインドファームを構成する風力発電装置と電力系統との連系点（以下、「系統連結点」という。）における、風力発電装置から電力系統へ供給する電力、電圧、周波数、及び力率等の計測データと風力発電装置に関するデータとを比較演算し、各種指令値を風力発電装置へ送信することにより実現していた。【０００４】
ここで、図９を参照して、従来のウインドファームにおける風力発電装置とウインドファームコントローラとの間のデータの流れについてより詳細に説明する。なお、図９の上側の図は、全体図であり、図９の下側の図は、従来の風車制御装置の構成図である。
ウインドファームコントローラ３００は、例えば電力会社に設けられている上位コントローラ３０２から、ウインドファーム全体としての有効電力量及び無効電力量の目標値を示した指令値Ｐnet_dem，Ｑnet_demを受信する。さらに、ウインドファームコントローラ３００は、サブステーション３１０が備えるデータ処理・通信処理部３０６で検知された系統連結点での有効電力、無効電力、電圧、及び周波数を示す計測データを受信し、各風力発電装置３０４毎に設けられている風車制御装置３０８を介して各風力発電装置３０４に関するデータである風車データを受信する。なお、風車データとは、例えば、風力発電装置３０４から出力される電力の周波数、電圧、電流、有効電力、無効電力、力率、ブレードのピッチ角、ロータの回転数、運転モード、風速、風向、油圧、温度、予め定められた機器に作用する荷重、各種センサの異常の有無、警報、及びその他運転ステータス等である。
そして、ウインドファームコントローラ３００は、上位コントローラ３０２からの指令値及び受信した各種データに基づいて、風力発電装置３０４への指令値（系統有効電力指令値ｃＰ、系統無効電力指令値ｃＱ等）を、ウインドファーム３１０を構成する複数の風力発電装置３０４全てに対して算出し、各風力発電装置３０４に設けられている風車制御装置３０８へ送信していた。そして、風車制御装置３０８は、受信した指令値に基づいて、自身が備える主制御装置３１２によって制御対象とする風力発電装置３０４を制御していた。
【先行技術文献】
【特許文献】
【０００５】
【特許文献１】米国特許第７６７９２１５号明細書
【特許文献２】米国特許第７６３８８３９号明細書
【特許文献３】米国特許第７５３１９１１号明細書
【特許文献４】米国特許出願公開第２０１０／０１３８０５８号明細書
【特許文献５】米国特許出願公開第２０１０／００９４４７４号明細書
【特許文献６】特許第４４７０９３３号公報
【特許文献７】特開２０１０−１７８４６８号公報
【特許文献８】特開２０１０−１３０７６２号公報
【特許文献９】特開２０１０−８４５４５号公報
【非特許文献】
【０００６】
【非特許文献１】ポール  ソレンセン（Poul Sorensen）、他２名、「ウインドファーム  コントロール  １６０ＭＷウインドファームからの経験（WIND FARM CONTROL Experience from a 160MW wind farm）」、[online］ ２００６年２月９〜１０日、ＥＣＰＥセミナー 再生可能エネルギー（ECPESeminar Renewable Energies） [平成２２年８月２５日検索]、インターネット＜URL:http://www.univ-lehavre.fr/recherche/greah/documents/ecpe/sorensen.pdf＞
【発明の概要】
【発明が解決しようとする課題】
【０００７】
ここで、例えば、電力系統の周波数（以下、「系統周波数」という。）が低下した場合等には、風力発電装置３０４の運転モードが切り替えられ、風力発電装置３０４は、低下した系統周波数を回復させるための電力を、電力系統へさらに供給する制御が行われる。すなわち、系統周波数が低下した場合、風力発電装置３０４は、通常よりもより多くの電力を電力系統へ供給する運転モードに切り替えられる。そして、この運転モードへの切り替えは、系統周波数の低下から短時間（数秒以内）で行われ、低下した系統周波数を迅速に回復させなければならない。また、ウインドファーム３１０を構成する複数の風力発電装置３０４に故障が生じた場合や、風況に変化が生じた場合等には、電力を安定して供給するために、風力発電装置３０４の制御の迅速な変更が要求される場合がある。
しかしながら、上記従来の制御方法では、ウインドファームコントローラ３００によって、複数の風車制御装置３０８を制御するための指令値を全て生成するため、ウインドファーム３１０が数十から百数十といった多数の風力発電装置３０４で構成されているような場合は、ウインドファームコントローラ３００における指令値の生成に時間を要する。また、各風車制御装置３０８は、各風力発電装置３０４の風車データをウインドファームコントローラ３００へ送信するが、ウインドファームコントローラ３００は１台ずつ順番に受信するため風車データに時間遅れが発生する。このため、従来の風力発電装置に対する制御では、ウインドファーム３１０を構成する風力発電装置３０４に対する制御の変更が迅速に行われない場合があった。【０００８】
本発明は、このような事情に鑑みてなされたものであって、ウインドファームの運転状況に応じて、ウインドファームを構成する風力発電装置の制御の変更をより迅速に行うことができる風力発電装置の制御装置、ウインドファーム、及び風力発電装置の制御方法を提供することを目的とする。
【課題を解決するための手段】
【０００９】
上記課題を解決するために、本発明の風力発電装置の制御装置、ウインドファーム、及び風力発電装置の制御方法は以下の手段を採用する。
本発明の第１の態様に係る風力発電装置は、風力発電装置の制御装置は、ウインドファームを構成する複数の風力発電装置の各々に設けられている制御装置であって、制御対象とする前記風力発電装置に関するデータを、他の前記風力発電装置へ送信する送信手段と、他の前記風力発電装置から送信されてくる該他の前記風力発電装置に関するデータを受信する受信手段と、制御対象とする前記風力発電装置に関するデータ、及び前記受信手段によって受信された他の前記風力発電装置に関するデータに基づいて、制御対象とする前記風力発電装置を制御する制御手段と、を備える。【００１０】
本発明によれば、ウインドファームを構成する複数の風力発電装置の各々に、制御装置が設けられており、該制御装置が備える送信手段によって、制御対象とする風力発電装置に関するデータが、他の前記風力発電装置へ送信され、受信手段によって、他の風力発電装置に関するデータが受信される。
これにより、風力発電装置各々に設けられている制御装置は、ウインドファームを構成する他の風力発電装置に関するデータを共有することとなる。なお、風力発電装置に関するデータとは、風力発電装置から出力される電力の周波数、電圧、電流、有効電力、無効電力、力率、ブレードのピッチ角、ロータの回転数、運転モード、風速、風向、油圧、温度、予め定められた機器に作用する荷重、各種センサの異常の有無、警報、及びその他運転ステータス等である。すなわち、風力発電装置に関するデータとは、風力発電装置の運転状況を示すものである。
そして、制御手段によって、制御対象とする風力発電装置に関するデータ、及び受信手段で受信された他の風力発電装置に関するデータに基づいて、制御対象とする風力発電装置が制御される。このため、制御手段は、他の風力発電装置の運転状況、換言するとウインドファームの運転状況に応じて、制御対象とする風力発電装置を制御することとなる。また、制御装置は、風力発電装置毎に設けられているため、風力発電装置の制御に時間遅れが生じにくくなる。
以上説明したように、ウインドファームを構成する各風力発電装置が、各々に設けられている制御装置によって、自身に関するデータ及び他の風力発電装置に関するデータに基づいて個別に制御される。このため、本発明は、ウインドファームの運転状況に応じて、ウインドファームを構成する風力発電装置の制御の変更をより迅速に行うことができる。【００１１】
また、本発明の制御装置は、複数の前記風力発電装置が、予め定められた基準に基づいて複数にグループ化され、前記受信手段が、制御対象とする前記風力発電装置が属しているグループに属する他の前記風力発電装置に関するデータを受信し、前記制御手段が、制御対象とする前記風力発電装置に関するデータ、及び前記受信手段によって受信された、制御対象とする前記風力発電装置が属しているグループに属する他の前記風力発電装置に関するデータに基づいて、制御対象とする前記風力発電装置を制御してもよい。
本発明によれば、複数の前記風力発電装置は、予め定められた基準に基づいて複数にグループ化される。なお、予め定められた基準とは、風力発電装置が設置されている位置、風速、及び風力発電装置の故障の有無である。
そして、受信手段によって、制御対象とする風力発電装置が属しているグループに属する他の前記風力発電装置に関するデータが受信される。
これにより、制御手段は、制御対象となっている風力発電装置が属しているグループに属する他の風力発電装置に関する情報に基づいて、制御対象となっている風力発電装置を制御するので、本発明は、ウインドファームを構成する風力発電装置の制御の変更をより迅速かつ効率的に行うことができる。【００１２】
また、本発明の制御装置は、前記基準が、風況又は前記風力発電装置の運転状態に応じて変更可能とされてもよい。
本発明によれば、複数の風力発電装置を複数にグループ化するための基準が、風況又は風力発電装置の運転状態に応じて変更可能とされているので、ウインドファームの状況に応じて、グループ化させる風力発電装置を変更でき、ウインドファームを構成する風力発電装置の制御の変更をより効率的に行うことができる。
なお、グループを変更する場合とは、例えば、風力発電装置に故障が生じた場合、風況が変化した場合等である。【００１３】
また、本発明の制御装置は、前記風力発電装置に関するデータに、該風力発電装置の風速及び風向が含まれ、前記制御手段が、制御対象とする前記風力発電装置に関するデータ、及び前記受信手段によって受信された他の前記風力発電装置に関するデータから、前記ウインドファーム内の風向及び風速の少なくとも何れか一方の分布を生成し、生成した該分布に基づいて、制御対象とする前記風力発電装置を制御してもよい。
本発明によれば、風力発電装置に関するデータから生成したウインドファーム内の風向及び風速の少なくとも何れか一方の分布に基づいて、制御対象とする風力発電装置を制御するので、時々刻々と変化するウインドファームの風況に応じて、風力発電装置の制御の変更をより迅速に行うことができる。【００１４】
また、本発明のウインドファームは、上記記載の制御装置が各々設けられている複数の風力発電装置を備えている。
本発明によれば、ウインドファームを構成する複数の風力発電装置は、各々上記記載の制御装置が設けられているので、本発明は、ウインドファームの運転状況に応じて、ウインドファームを構成する風力発電装置の制御の変更をより迅速に行うことができる。【００１５】
また、本発明のウインドファームは、複数の前記風力発電装置に関するデータを管理する管理装置を備え、複数の前記風力発電装置各々に設けられている前記制御装置のうち、所定の制御装置に備えられている前記送信手段が、該所定の制御装置の制御対象とする前記風力発電装置に関するデータ、及び前記受信手段によって受信された他の前記風力発電装置に関するデータを、前記管理装置へ送信してもよい。
本発明によれば、管理装置は、所定の制御装置から風力発電装置に関するデータを受信するため、風力発電装置に関するデータをウインドファームを構成する複数の風力発電装置全てから、受信する必要がない。このため、本発明は、管理装置の各種データの送受信に関する処理負荷を低減させることができる。【００１６】
また、本発明の風力発電装置の制御方法は、ウインドファームを構成する複数の風力発電装置の各々に設けられている制御装置で行われる制御方法であって、制御対象とする前記風力発電装置に関するデータの他の前記風力発電装置への送信、及び他の前記風力発電装置から送信されてくる該他の前記風力発電装置に関するデータの受信を行う第１工程と、制御対象とする前記風力発電装置に関するデータ、及び受信した他の前記風力発電装置に関するデータに基づいて、制御対象とする前記風力発電装置を制御する第２工程と、を含む。
本発明によれば、ウインドファームを構成する各風力発電装置が、各々に設けられている制御装置によって、自身に関するデータ及び他の風力発電装置に関するデータに基づいて個別に制御される。このため、本発明は、ウインドファームの運転状況に応じて、ウインドファームを構成する風力発電装置の制御の変更をより迅速に行うことができる。
【発明の効果】
【００１７】
本発明によれば、ウインドファームの運転状況に応じて、ウインドファームを構成する風力発電装置の制御の変更をより迅速に行うことができる、という優れた効果を有する。
【図面の簡単な説明】
【００１８】
【図１】本発明の実施形態に係るウインドファームの構成を示すブロック図である。
【図２】本発明の実施形態に係る風車制御装置の構成を示すブロック図である。
【図３】本発明の実施形態に係る副制御装置で実行される可変パラメータ演算プログラムの処理の流れを示すフローチャートである。
【図４】本発明の実施形態に係る副制御装置で実行される風況予測プログラムの処理の流れを示すフローチャートである。
【図５】本発明の実施形態に係る風況マップの一例を示す図である。
【図６】本発明の実施形態に係るウインドファームにおいて、送電線を基準として、風力発電装置をグループ化した場合の模式図である。
【図７】本発明の実施形態に係るウインドファームにおいて、風速を基準として、風力発電装置をグループ化した場合の模式図である。
【図８】本発明の実施形態に係るウインドファームにおいて、風力発電装置に故障が生じた場合における、風力発電装置のグループ化を示す模式図である。
【図９】従来のウインドファームにおける風車制御装置とウインドファームコントローラとの間のデータの流れについて説明に要する図である。
【発明を実施するための形態】
【００１９】
以下に、本発明に係る風力発電装置の制御装置、ウインドファーム、及び風力発電装置の制御方法の一実施形態について、図面を参照して説明する。
図１は、本発明の実施形態に係るウインドファーム１０の全体構成を示した図である。ウインドファーム１０は、ウインドファーム１０全体の制御を司り、例えば、ＳＣＡＤＡ（Supervisory Control And Data Acquisition）で構成されているウインドファームコントローラ（以下、「ＷＦＣ」という。）１２と、複数枚のブレードを備えたロータの回転により発電すると共に、変圧器１４を介して系統連系されている複数の風力発電装置１６−１〜ｎと、複数の風力発電装置１６の各々に設けられている風車制御装置１８−１〜ｎと、を備えている。
なお、以下の説明において、各風力発電装置１６を区別する場合は、符号の末尾に１〜ｎの何れかを付し、各風力発電装置１６を区別しない場合は、１〜ｎを省略する。また、風車制御装置１８を区別する場合は、符号の末尾に１〜ｎの何れかを付し、風車制御装置１８を区別しない場合は、１〜ｎを省略する。
【００２０】
ＷＦＣ１２は、通信処理部２０Ａ，２０Ｂ、データ処理部２２、表示処理部２４、及びデータベース２６を備えている。
通信処理部２０Ａは、電力会社等に設けられている上位コントローラ５０から送信される、電力系統へ供給する有効電力の目標値を示す系統有効電力指令値Ｐnet_dem（系統連結点での指令値）、及び電力系統へ供給する無効電力の目標値を示す系統無効電力指令値Ｑnet_dem（系統連結点での指令値）等、ウインドファーム１０に対する指令値を受信する。また、通信処理部２０Ａは、風車制御装置１８から送信される風力発電装置１６に関するデータである風車データを受信する。
なお、風車データとは、風力発電装置１６から出力される電力の周波数、電圧、電流、有効電力、無効電力、力率、ブレードのピッチ角、ロータの回転数、運転モード、風速、風向、油圧、温度、予め定められた機器に作用する荷重、各種センサの異常の有無、警報、及びその他運転ステータス等である。すなわち、風車データとは、風力発電装置１６の運転状況を示すものである。
【００２１】
一方、通信処理部２０Ｂは、ウインドファーム１０が電力系統へ供給する電力の周波数、電圧、有効電力、無効電力等の計測データを、サブステーション３０を介して受信する。なお、サブステーション３０は、データ処理・通信処理部３１によって、系統連結点における上記計測データを検出する。
データ処理部２２は、通信処理部２０Ａ，２０Ｂを介して受信した各種データのデータベース２６への記憶、データベース２６に記憶されている各種情報の読み出し等の各種データに対する各種処理を行う。すなわち、ＷＦＣ１２はデータ処理部２２及びデータベース２６によって、風車データの管理を行うこととなる。
そして、通信処理部２０Ａは、各風車制御装置１８（本実施形態では、後述するマスター風車制御装置１８Ｍ）へ、上位コントローラ５０からの系統連結点での指令値、及びサブステーション３０からの系統連結点における計測データを送信する。各風車制御装置１８は、上位コントローラ５０からの指令値、及びサブステーション３０からの計測データを受信すると、各々自身が制御対象とする風力発電装置１６の指令値を演算する。
表示処理部２４は、データベース２６に記憶されている各種データを、クライアントＰＣ（Personal Computer）５２に設けられている画像表示装置に表示可能なように処理すると共に、処理後の各種データを通信処理部２０Ａを介してクライアントＰＣ５２に送信する。
【００２２】
ここで、本実施形態では、ウインドファーム１０を構成する風力発電装置１６は、複数のグループにグループ化されている。なお、一つのグループに含まれる風力発電装置１６の数は、例えば１０台以下とし、図１は、一例として、風力発電装置１６が、５台ずつグループ化されている場合を示している。
そして、風車制御装置１８は、制御対象とする風力発電装置１６が属しているグループに属する他の風力発電装置１６の風車データを、該他の風車制御装置１８から受信する。なお、風車制御装置１８が制御対象とする風力発電装置１６とは、図１に示す風車制御装置１８の末尾の番号が同じ風力発電装置１６であり、風力発電装置１６と風車制御装置１８とは、一対一の関係にある。
【００２３】
図２は、本実施形態に係る風車制御装置１８の構成と、ウインドファーム内のデータのやり取りを示すブロック図である。
風車制御装置１８は、通信処理部４０、副制御装置４２、主制御装置４４、及び記憶部４６を備える。
【００２４】
通信処理部４０は、制御対象とする風力発電装置１６の風車データを、他の風力発電装置１６へ送信すると共に、他の風力発電装置１６から送信されてくる該他の風力発電装置１６の風車データを受信する。また、通信処理部４０は、ウインドファームコントローラ１２を介して、上位コントローラ５０からの指令値及びサブステーション３０からの計測データを受信する。
なお、本実施形態に係る通信処理部４０は、制御対象とする風力発電装置１６と同じグループに属する他の風力発電装置１６へ、制御対象とする風力発電装置１６の風車データを一斉送信（ブロードキャスト送信あるいはマルチキャスト送信）する。そのため、通信処理部４０は、同じグループに属する他の風力発電装置１６の風車データを受信することとなる。
【００２５】
さらに、各グループには、他のグループと通信するための風車制御装置１８（以下、「マスター風車制御装置１８Ｍ」という。）が設定されている。図１の例では、風車制御装置１８−１，６，・・・，ｎ−４をマスター風車制御装置１８Ｍとする。
マスター風車制御装置１８Ｍは、通信処理部４０を介して、同じグループに属する他の風力発電装置１６の風車データを他のグループのマスター風車制御装置１８Ｍへ送信すると共に、他のグループに属するマスター風車制御装置１８Ｍから他のグループに属する風力発電装置１６の風車データを受信する。そして、マスター風車制御装置１８Ｍは、通信処理部４０を介して、同じグループに属する他の風車制御装置１８へ、受信した他のグループに属する風力発電装置１６の風車データを送信する。これによって、各風車制御装置１８は、ウインドファーム１０を構成する他の風力発電装置の風車データを共有することとなる。
また、マスター風車制御装置１８Ｍは、制御対象とする風力発電装置１６の風車データと共に同じグループに属する他の風力発電装置１６の風車データをＷＦＣ１２へ送信する。一方、ＷＦＣ１２は、上位コントローラ５０からの系統連結点での指令値及びサブステーション３０からの計測データを、マスター風車制御装置１８Ｍへ送信し、マスター風車制御装置１８Ｍは、同じグループに属する他の風力発電装置１６へ上記指令値及び計測データを送信する。これにより、ＷＦＣ１２は、マスター風車制御装置１８Ｍとの間で各種データの送受信を行うため、ウインドファーム１０を構成する複数の風力発電装置１６各々と、各風力発電装置１６への指令値を演算するための各種データの送受信を行う必要がなくなり、各種データの送受信に関する処理負荷が低減される。
【００２６】
なお、各装置間で送受信される風車データには、データが取得された日時を示すタイムスタンプが付加されている。本実施形態に係る風車制御装置１８は、一例として、予め定められた時間間隔毎（例えば、０．１秒間隔毎）に他の風車制御装置１８に対して風車データを送信する。
また、各装置間における各種データの通信は、有線通信であっても、無線通信であってもよいが、例えば、ＮＡＳＰＩ(North American Synchro Phasor
Initiative)等が提唱する通信方式、ＩＥＣ６１８５０で規定する通信方式、リアルタイムシステム用のData
Distribution Service等を用いて行うことが好ましい。
【００２７】
副制御装置４２は、上位コントローラ５０からの指令値、サブステーション３０からの計測データ、及び制御対象とする風力発電装置１６の風車データ、及び他の風力発電装置１６の風車データに基づいて、制御対象とする風力発電装置１６を制御するための可変パラメータを算出する可変パラメータ演算処理を行う。
そして、主制御装置４４は、副制御装置４２で算出された可変パラメータに基づいて、指令値を生成し、制御対象とする風力発電装置１６の制御を行う。
一方、記憶部４６は、半導体記憶装置又は磁気記憶装置を備えており、後述する演算プログラム及び風況予測プログラム等の各種プログラムや、各種データを記憶している。
【００２８】
ここで、副制御装置４２による可変パラメータ演算処理の詳細について図３を参照して説明する。
図３は、可変パラメータ演算処理を行う場合に、副制御装置４２によって実行される可変パラメータ演算プログラムの処理の流れを示すフローチャートであり、可変パラメータ演算プログラムは記憶部４６の所定領域に予め記憶されている。なお、本プログラムは、ウインドファーム１０の運転の開始と共に開始される。
【００２９】
まず、ステップ１００では、他の風車制御装置１８からの風車データを受信するまで待ち状態となり、風車データを受信した場合にステップ１０２へ移行する。なお、ここでいう風車データを受信した場合とは、同じグループに属する風車制御装置１８全てからと、他のグループのマスター風車制御装置１８Ｍから同時刻の他のグループに属する他の風力発電装置１６の風車データを受信した場合をいう。
【００３０】
ステップ１０２では、ウインドファーム１０全体として電力系統へ供給している電力の計測データをサブステーション３０から受信するまで待ち状態となり、計測データを受信した場合にステップ１０４へ移行する。なお、本ステップで受信する計測データとは、ステップ１００で受信する風車データと同時刻の計測データとする。
【００３１】
ステップ１０４では、可変パラメータを算出する。本ステップでは、制御対象とする風力発電装置１６の風車データ、同じグループに属する他の風力発電装置１６の風車データ、及び他のグループに属する他の風力発電装置１６の風車データに基づいて、サブステーション３０から受信した計測パラメータを参照（例えば、フィードバック）し、制御対象とする風力発電装置１６の可変パラメータを算出する。
【００３２】
また、可変パラメータの算出には、各風力発電装置１６毎の風車データの他に、例えば、運転モードの初期設定値、運転モード用のパラメータの初期設定値、グループ化されている風力発電装置１６の号機組み合わせ情報、ウインドファーム１０内の風況情報（後述する風況マップ及び風況予測マップであり、風況の予測値、風況の実測値、及び予測値と実測値との誤差）等を用いてもよい。なお、これらの情報は、各風力発電装置１６に対して共通するものであり、記憶部４６に記憶されている。
【００３３】
なお、上記運転モードには、通常運転モード、周波数サポート優先モード、電圧サポート優先モード、縦列風カーテイルメントモード、出力カーテイルメントモード等がある。
周波数サポート優先モードとは、低下した系統周波数を回復させるための運転モードである。また、電圧サポート優先モードとは、低下した系統電圧を回復させるための運転モードである。縦列風カーテイルメントモードとは、他の風力発電装置１６が風上にある場合のその後流の風の乱れによる影響を避けるための運転モードである。出力カーテイルメントモードとは、時間及び出力を指定し、風力発電装置１６の出力を制限するための運転モードである。
【００３４】
また、運転モード用のパラメータは、周波数偏差、電圧偏差、縦列風停止条件、出力制限設定、ランプレート設定、ドループ（Droop）設定、デッドバンド（Deadband）設定等である。
周波数偏差とは、電力系統の基準周波数（地域により異なり、５０Ｈｚ又は６０Ｈｚ）に対する電力供給会社が示すガイドライン、系統要求規定から求められる発電所（発電装置）から出力される周波数の許容される偏差量である。電圧偏差とは、電力系統側の定格電圧（ウインドファーム、地域により異なる。）、風力発電装置１６の定格出力電圧（風車形状によりことなる。）の定格値を１ｐ.ｕとした際、電力供給会社が示すガイドライン、系統要求規定から求められる出力時の電圧の許容される偏差量である（０・９ｐ.ｕ、１．１ｐ.ｕのように表現される。）。出力制限設定とは、系統周波数並びに系統電圧をガイドライン、規定範囲内（許容偏差内）に維持するため風力発電装置１６から出力される有効電力、無効電力の制御設定量である。ランプレートとは、出力制限の際、目標値に制御するまでの変化率である。ドループ設定とは、発電機出力と発電機周波数の特性曲線から得られる速度調定率である。デッドバンド設定とは、Primary Frequency Response（ＰＦＲ）が要求される電力系統において、基準周波数（例えば、米国では、６０Ｈｚ）に対し許容される周波数範囲である。例えばデッドバンドが０．０３６Ｈｚで設定された場合、許容される周波数範囲は、５９．９６４Ｈｚ〜６０．０３６Ｈｚである。
【００３５】
そして、本ステップで算出される可変パラメータは、ロータの最適回転数、ブレードのピッチ角、出力値、ナセルの旋回方向、出力制限を行う場合の出力制限量（デローディング量）等である。
なお、本ステップでは、同じグループ及び他のグループに属する他の風力発電装置１６の風車データに基づいて、配電損失最小化、電圧降下最小化、及び荷重最小化等が最適化されるように、各グループ内の風力発電装置１６のみを対象として、可変パラメータを算出する。一方、本ステップでは、運転を停止させる運転指令値、運転モードを切り替える切替指令値等、他の風力発電装置１６の運転にも影響する可変パラメータは、同じグループ及び他のグループに属する風力発電装置１６の風車データも用いることによって算出する。
【００３６】
次のステップ１０４では、ステップ１０２で算出した可変パラメータを主制御装置４４へ送信し、本プログラムを終了する。主制御装置４４では、受信した可変パラメータに基づいて風力発電装置１６を制御するための指令値を生成し、生成した指令値を制御対象とする風力発電装置１６へ送信する。
【００３７】
このように、風車制御装置１８は、ＷＦＣ１２での処理を待たず他の風力発電装置１６の運転状況、換言するとウインドファーム１０の運転状況に応じて、制御対象とする風力発電装置１６を制御することとなる。
また、風車制御装置１８は、風力発電装置１６毎に設けられているため、ＷＦＣ１２で各風力発電装置１６の制御に用いる指令値を生成するよりも、風力発電装置１６の制御に時間遅れが生じにくくなる。
【００３８】
さらに、本実施形態に係るウインドファーム１０では、ウインドファーム１０内の風況を予測する風況予測処理を行う。
図４は、風況予測処理を行う場合に、副制御装置４２によって実行される風況予測プログラムの処理の流れを示すフローチャートであり、風況予測プログラムは記憶部４６の所定領域に予め記憶されている。なお、本プログラムは、ウインドファーム１０の運転の開始と共に開始される。また、風況予測処理は、各風車制御装置１８で行われてもよいし、予め定められた風車制御装置１８のみで行われてもよい。
【００３９】
まず、ステップ２００では、記憶部４６から風況マップを読み出す。なお、必要とする風況マップが記憶部４６に記憶されていない場合は、他の風車制御装置１８から、該風車制御装置１８に記憶されている風況マップを読み出す。
【００４０】
次の、ステップ２０２では、他の風車制御装置１８からの風車データを受信するまで待ち状態となり、風車データを受信した場合にステップ２０４へ移行する。なお、ここでいう風車データを受信した場合とは、同じグループに属する風車制御装置１８全てからと、他のグループのマスター風車制御装置１８Ｍから同時刻の他のグループに属する他の風力発電装置１６の風車データを受信した場合をいう。
【００４１】
ステップ２０４では、各風力発電装置１６が設置されている緯度、経度、及び標高を風力発電装置１６を識別するための号機番号に関連付けた風車位置テーブルデータと、各風力発電装置１６の風車データとに基づいて、ステップ２００で読み出した風況データにより示される風速及び風向の情報を更新し、更新した風況マップを記憶部４６に記憶する。なお、風車位置テーブルデータは、記憶部４６に予め記憶されている。
また、風況マップの具体例としては、各風力発電装置１６の号機番号、緯度、経度、標高、風速、風速及び風向の測定日時を関連付けたものである。風況マップは、所定時間間隔毎（例えば、０．１秒毎）に生成されてもよい。
さらに、風況マップは、図５の一例に示すように、例えば、クライアントＰＣ５２の画像表示装置にウインドファーム１０内の風況を表示させる場合に、黒点で風力発電装置１６の緯度及び経度を示し、黒点に付加されている矢印の向きで風向を示すと共に矢印の長さで風速を示すように、視覚的に風況（風向及び風速の分布）が容易に判別可能なように処理されてもよい。
【００４２】
次のステップ２０６では、所定時間後（例えば、０．２秒後）のウインドファーム１０内の風況を算出することで、所定時間後のウインドファーム１０内の風況を予測した予測値を得る。具体的には、例えば、記憶部４６に記憶されている所定時間間隔毎の過去の風況マップを複数読み出し、読み出した複数の風況マップにより示される風速及び風向、並びに現在地予測と実測の偏差に基づいて、所定時間後のウインドファーム１０内の風況の予測値を算出する。
そして、本ステップでは、算出した風況の予測値に基づいて、上述した風況マップと同様の風況予測マップを生成し、本プログラムを終了する。なお、風況予測マップには、風況予測マップが示す所定時間後の風況が実測された場合には、該実測値と共に実測値と予測値との誤差が新たに追加されてもよい。なお、この誤差は、次回の予測時に利用される。
【００４３】
なお、風況予測マップが、予め定められた風車制御装置１８で生成された場合には、風況予測マップは、該風車制御装置１８と同じグループに属する他の風車制御装置１８、及び他のグループのマスター風車制御装置１８Ｍへ送信される。
【００４４】
各風車制御装置１８は、受信した風況予測マップも用いて、風力発電装置１６を制御するための可変パラメータを算出する。これにより、各風車制御装置１８は、風況予測マップによって示される所定時間後のピッチ角指令値及び回転数指令値等の指令値を生成することとなる。そのため、風車制御装置１８は、時々刻々と変化するウインドファームの風況に応じて、風力発電装置１６の制御の変更をより迅速に、また効率的な運転を行うことができる。
また、風況マップは、風車データから風速及び風況を読み出すことで、容易に生成できるものであるため、各風車制御装置１８は、風況予測マップの生成は行わず、風況マップの生成のみを行い、生成した風況マップも用いて、風力発電装置１６を制御するための可変パラメータを算出してもよい。
【００４５】
次に、図６〜８を参照して、風力発電装置１６のグループ化の例を説明する。本実施形態に係るウインドファーム１０を構成する複数の風力発電装置１６は、予め定められた基準に基づいて、複数のグループにグループ化される。なお、予め定められた基準とは、風況及び風力発電装置１６の運転状況に応じて変更可能とされている。図６〜８において、各風力発電装置１６間を結ぶ破線６０は、各グループ内における風車データの送受信が行われる通信回線を示している。
図６は、グループ化の基準を、各風力発電装置１６が接続されている送電線６２として、風力発電装置１６をグループ化した場合を示しており、各風力発電装置１６は、同じ送電線６２に接続されている風力発電装置１６毎にグループ化されている。このように、送電線６２を基準としてグループ化する場合は、送電線６２の点検、及び切断等の送電線６２の異常の発生、並びに、送電線６２の下につながる風力発電装置１６の一斉故障の異常の発生に、対応し易い。
図７は、風速の大きさをグループ化の基準として、風力発電装置１６をグループ化した場合を示す模式図であり、各風力発電装置１６は、近傍の風速が同等である風力発電装置１６毎にグループ化されている。この場合は、例えば、風速の高いグループに属する風力発電装置１６を、系統周波数の低下に対応するべく、より多くの有効電力を制限して運転する周波数サポート優先モードとし、風速の低いグループに属する風力発電装置１６を、系統電圧の低下に対応するべく、無効電力を電力系統へ供給可能とする電圧サポート優先モードとする等、風速に応じた風力発電装置１６の出力調整制御が容易となる。
図８は、風力発電装置に故障の有無をグループ化の基準として、風力発電装置をグループ化した場合を示す模式図である。図８の例では、各風力発電装置１６は、図６に示すように、４台ずつグループ化されていたが、風力発電装置１６−２〜４が故障した場合に、風力発電装置１６−１のみを一つのグループとすることは、出力調整制御を行うにあたり非効率的であるため、風力発電装置１６−１を風力発電装置１６−５〜８のグループに組み込む場合を示している。
なお、グループ化の基準としては、上記の基準に限らず、風向、風力発電装置１６の出力の大きさ、及び風力発電装置１６に作用する荷重の大きさ等、他の基準が用いられてもよい。
【００４６】
また、グループ化の基準は、風況又は風力発電装置１６の運転状態に応じて変更可能とされている。
具体的には、グループ化情報（現在のグループ化の基準、及びグループ化されている風力発電装置１６の号機番号）、各風力発電装置１６の風車データ、風況情報等から、グループ化の基準の変更の有無が判断される。なお、該判断は、例えば、予め定められた風車制御装置１８（例えば、マスター風車制御装置１８Ｍ）によって行われる。そして、グループ化の基準の変更が必要であると判断された場合には、新たなグループ化の基準と、グループ化する風力発電装置１６の号機番号の組み合わせを示す情報、各グループのマスター風車制御装置１８Ｍとなる号機番号、及び各グループ毎の運転モードを示す情報等が、上記風車制御装置１８によって生成され、他の風車制御装置１８へ送信される。また、上記情報は、ＷＦＣ１２へも送信されるので、ＷＦＣ１２は、各種情報を送受信するマスター風車制御装置１８Ｍを認識することができる。
【００４７】
以上説明したように、本実施形態に係る風車制御装置１８は、ウインドファーム１０を構成する複数の風力発電装置１６の各々に設けられており、制御対象とする風力発電装置１６の風車データを他の風力発電装置１６の風車制御装置１８へ送信し、他の風力発電装置１６の風車制御装置１８から該他の風力発電装置１６に関する風車データを受信する。そして、風車制御装置１８は、制御対象とする風力発電装置１６の風車データ、及び他の風力発電装置１６の風車データに基づいて、制御対象とする風力発電装置１６を制御するので、ウインドファームの運転状況に応じて、ウインドファームを構成する風力発電装置の制御の変更をより迅速に行うことができる。
また、風力発電装置１６の制御は、ＷＦＣ１２での指令値の演算を必要としないため、ＷＦＣ１２が故障しても、ウインドファーム１０による発電を維持できる。
【００４８】
また、本実施形態に係る風力発電装置１６は、予め定められた基準に基づいて複数にグループ化される。
そして、本実施形態に係る風車制御装置１８は、制御対象とする風力発電装置１６が属しているグループに属する他の風力発電装置１６の風車データを受信し、制御対象となっている風力発電装置１６の風車データと、受信した上記風車データに基づいて、制御対象となっている風力発電装置１６を制御するので、ウインドファーム１０を構成する風力発電装置１６の制御の変更をより迅速かつ効率的に行うことができる。
【００４９】
また、風車制御装置１８は、風力発電装置１６の風車データに含まれるウインドファーム内の風向及び風速の分布に基づいて、制御対象とする風力発電装置１６を制御するので、時々刻々と変化するウインドファームの風況に応じて、風力発電装置の制御の変更をより迅速に行うことができる。
【００５０】
また、ＷＦＣ１２は、マスター風車制御装置１８Ｍから風力発電装置１６の風車データを受信するため、ウインドファーム１０を構成する複数の風力発電装置１６全てから風車データの受信を受け付ける必要がなく、ＷＦＣ１２の各種データの送受信に関する処理負荷は低減される。
【００５１】
以上、本発明を、上記実施形態を用いて説明したが、本発明の技術的範囲は上記実施形態に記載の範囲には限定されない。発明の要旨を逸脱しない範囲で上記実施形態に多様な変更または改良を加えることができ、該変更または改良を加えた形態も本発明の技術的範囲に含まれる。
【００５２】
例えば、上記実施形態では、ウインドファーム１０を構成する複数の風力発電装置１６を複数のグループにグループ化する場合について説明したが、本発明は、これに限定されるものではなく、風力発電装置をグループ化しない形態としてもよい。
【００５３】
また、上記実施形態では、風車制御装置１８は、各風力発電装置１６の風速及び風向をから風況マップ及び風況予測マップを生成する場合について説明したが、本発明は、これに限定されるものではなく風車制御装置１８は、各風力発電装置１６の風速及び風向の何れか一方のみから、風況マップ及び風況予測マップを生成する形態としてもよい。また、標高及び温度データから空気密度分を風況マップ及び風況予測マップに加えてもよい。
【００５４】
また、上記実施形態では、各風車制御装置１８は、系統連結点から検知した計測データをサブステーション３０から受信する場合について説明したが、本発明は、これに限定されるものではなく、例えば、各風車制御装置１８は、サブステーション３０からＷＦＣ１２及びマスター風車制御装置１８Ｍを介して、計測データを受信する形態としてもよい。
【符号の説明】
【００５５】
１０    ウインドファーム
１２    ＷＦＣ（ウインドファームコントローラ）
１６    風力発電装置
１８    風車制御装置
４０    通信処理部
４２    副制御装置
４４    主制御装置
【図１】
2012056564.tif 000003
【図２】
2012056564.tif 000004
【図３】
2012056564.tif 000005
【図４】
2012056564.tif 000006
【図５】
2012056564.tif 000007
【図６】
2012056564.tif 000008
【図７】
2012056564.tif 000009
【図８】
2012056564.tif 000010
【図９】
2012056564.tif 000011
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
ウインドファームを構成する複数の風力発電装置の各々に設けられている制御装置であって、
制御対象とする前記風力発電装置に関するデータを、他の前記風力発電装置へ送信する送信手段と、
他の前記風力発電装置から送信されてくる該他の前記風力発電装置に関するデータを受信する受信手段と、
制御対象とする前記風力発電装置に関するデータ、及び前記受信手段によって受信された他の前記風力発電装置に関するデータに基づいて、制御対象とする前記風力発電装置を制御する制御手段と、
を備えた制御装置。
【請求項２】
複数の前記風力発電装置は、予め定められた基準に基づいて複数にグループ化され、
前記受信手段は、制御対象とする前記風力発電装置が属しているグループに属する他の前記風力発電装置に関するデータを受信し、
前記制御手段は、制御対象とする前記風力発電装置に関するデータ、及び前記受信手段によって受信された、制御対象とする前記風力発電装置が属しているグループに属する他の前記風力発電装置に関するデータに基づいて、制御対象とする前記風力発電装置を制御する請求項１記載の制御装置。
【請求項３】
前記基準は、風況又は前記風力発電装置の運転状態に応じて変更可能とされている請求項２記載の制御装置。
【請求項４】
前記風力発電装置に関するデータには、該風力発電装置の風速及び風向が含まれ、
前記制御手段は、制御対象とする前記風力発電装置に関するデータ、及び前記受信手段によって受信された他の前記風力発電装置に関するデータから、前記ウインドファーム内の風速及び風向の少なくとも何れか一方の分布を生成し、生成した該分布に基づいて、制御対象とする前記風力発電装置を制御する請求項３記載の制御装置。
【請求項５】
請求項１から請求項４の何れか１項記載の制御装置が各々設けられている複数の風力発電装置を備えたウインドファーム。
【請求項６】
複数の前記風力発電装置に関するデータを管理する管理装置を備え、
複数の前記風力発電装置各々に設けられている前記制御装置のうち、所定の制御装置に備えられている前記送信手段は、該所定の制御装置の制御対象とする前記風力発電装置に関するデータ、及び前記受信手段によって受信された他の前記風力発電装置に関するデータを、前記管理装置へ送信する請求項５記載のウインドファーム。
【請求項７】
ウインドファームを構成する複数の風力発電装置の各々に設けられている制御装置で行われる制御方法であって、
制御対象とする前記風力発電装置に関するデータの他の前記風力発電装置への送信、及び他の前記風力発電装置から送信されてくる該他の前記風力発電装置に関するデータの受信を行う第１工程と、
制御対象とする前記風力発電装置に関するデータ、及び受信した他の前記風力発電装置に関するデータに基づいて、制御対象とする前記風力発電装置を制御する第２工程と、
を含む風力発電装置の制御方法。
【手続補正２】
【補正対象書類名】明細書
【補正対象項目名】０００７
【補正方法】変更
【補正の内容】
【０００７】
ここで、例えば、電力系統の周波数（以下、「系統周波数」という。）が低下した場合等には、風力発電装置３０４の運転モードが切り替えられ、風力発電装置３０４は、低下した系統周波数を回復させるための電力を、電力系統へさらに供給する制御が行われる。すなわち、系統周波数が低下した場合、風力発電装置３０４は、通常よりもより多くの電力を電力系統へ供給する運転モードに切り替えられる。そして、この運転モードへの切り替えは、系統周波数の低下から短時間（数秒以内）で行われ、低下した系統周波数を迅速に回復させなければならない。また、ウインドファーム３１０を構成する複数の風力発電装置３０４に故障が生じた場合や、風況に変化が生じた場合等には、電力を安定して供給するために、風力発電装置３０４の制御の迅速な変更が要求される場合がある。
しかしながら、上記従来の制御方法では、ウインドファームコントローラ３００によって、複数の風力発電装置３０４を制御するための指令値を全て生成するため、ウインドファーム３１０が数十から百数十といった多数の風力発電装置３０４で構成されているような場合は、ウインドファームコントローラ３００における指令値の生成に時間を要する。また、各風車制御装置３０８は、各風力発電装置３０４の風車データをウインドファームコントローラ３００へ送信するが、ウインドファームコントローラ３００は１台ずつ順番に受信するため風車データに時間遅れが発生する。このため、従来の風力発電装置に対する制御では、ウインドファーム３１０を構成する風力発電装置３０４に対する制御の変更が迅速に行われない場合があった。
【手続補正３】
【補正対象書類名】明細書
【補正対象項目名】０００９
【補正方法】変更
【補正の内容】
【０００９】
上記課題を解決するために、本発明の風力発電装置の制御装置、ウインドファーム、及び風力発電装置の制御方法は以下の手段を採用する。
本発明の第１の態様に係る風力発電装置は、ウインドファームを構成する複数の風力発電装置の各々に設けられている制御装置であって、制御対象とする前記風力発電装置に関するデータを、他の前記風力発電装置へ送信する送信手段と、他の前記風力発電装置から送信されてくる該他の前記風力発電装置に関するデータを受信する受信手段と、制御対象とする前記風力発電装置に関するデータ、及び前記受信手段によって受信された他の前記風力発電装置に関するデータに基づいて、制御対象とする前記風力発電装置を制御する制御手段と、を備える。
【手続補正４】
【補正対象書類名】明細書
【補正対象項目名】００１５
【補正方法】変更
【補正の内容】
【００１５】
また、本発明のウインドファームは、複数の前記風力発電装置に関するデータを管理する管理装置を備え、複数の前記風力発電装置各々に設けられている前記制御装置のうち、所定の制御装置に備えられている前記送信手段が、該所定の制御装置の制御対象とする前記風力発電装置に関するデータ、及び前記受信手段によって受信された他の前記風力発電装置に関するデータを、前記管理装置へ送信してもよい。
本発明によれば、管理装置は、所定の制御装置から風力発電装置に関するデータを受信するため、風力発電装置に関するデータをウインドファームを構成する複数の風力発電装置の制御装置全てから、受信する必要がない。このため、本発明は、管理装置の各種データの送受信に関する処理負荷を低減させることができる。
【手続補正５】
【補正対象書類名】明細書
【補正対象項目名】００２４
【補正方法】変更
【補正の内容】
【００２４】
通信処理部４０は、制御対象とする風力発電装置１６の風車データを、他の風車制御装置１８へ送信すると共に、他の風車制御装置１８から送信されてくる該他の風力発電装置１６の風車データを受信する。また、通信処理部４０は、ウインドファームコントローラ１２を介して、上位コントローラ５０からの指令値及びサブステーション３０からの計測データを受信する。
なお、本実施形態に係る通信処理部４０は、制御対象とする風力発電装置１６と同じグループに属する他の風車制御装置１８へ、制御対象とする風力発電装置１６の風車データを一斉送信（ブロードキャスト送信あるいはマルチキャスト送信）する。そのため、通信処理部４０は、同じグループに属する他の風力発電装置１６の風車データを受信することとなる。
【手続補正６】
【補正対象書類名】明細書
【補正対象項目名】００２５
【補正方法】変更
【補正の内容】
【００２５】
さらに、各グループには、他のグループと通信するための風車制御装置１８（以下、「マスター風車制御装置１８Ｍ」という。）が設定されている。図１の例では、風車制御装置１８−１，６，・・・，ｎ−４をマスター風車制御装置１８Ｍとする。
マスター風車制御装置１８Ｍは、通信処理部４０を介して、同じグループに属する他の風力発電装置１６の風車データを他のグループのマスター風車制御装置１８Ｍへ送信すると共に、他のグループに属するマスター風車制御装置１８Ｍから他のグループに属する風力発電装置１６の風車データを受信する。そして、マスター風車制御装置１８Ｍは、通信処理部４０を介して、同じグループに属する他の風車制御装置１８へ、受信した他のグループに属する風力発電装置１６の風車データを送信する。これによって、各風車制御装置１８は、ウインドファーム１０を構成する他の風力発電装置の風車データを共有することとなる。
また、マスター風車制御装置１８Ｍは、制御対象とする風力発電装置１６の風車データと共に同じグループに属する他の風力発電装置１６の風車データをＷＦＣ１２へ送信する。一方、ＷＦＣ１２は、上位コントローラ５０からの系統連結点での指令値及びサブステーション３０からの計測データを、マスター風車制御装置１８Ｍへ送信し、マスター風車制御装置１８Ｍは、同じグループに属する他の風車制御装置１８へ上記指令値及び計測データを送信する。これにより、ＷＦＣ１２は、マスター風車制御装置１８Ｍとの間で各種データの送受信を行うため、ウインドファーム１０を構成する複数の風力発電装置１６各々と、各風力発電装置１６への指令値を演算するための各種データの送受信を行う必要がなくなり、各種データの送受信に関する処理負荷が低減される。
【手続補正７】
【補正対象書類名】明細書
【補正対象項目名】００３１
【補正方法】変更
【補正の内容】
【００３１】
ステップ１０４では、可変パラメータを算出する。本ステップでは、制御対象とする風力発電装置１６の風車データ、同じグループに属する他の風力発電装置１６の風車データ、及び他のグループに属する他の風力発電装置１６の風車データに基づいて、サブステーション３０から受信した計測データを参照（例えば、フィードバック）し、制御対象とする風力発電装置１６の可変パラメータを算出する。
【手続補正８】
【補正対象書類名】明細書
【補正対象項目名】００３６
【補正方法】変更
【補正の内容】
【００３６】
次のステップ１０６では、ステップ１０４で算出した可変パラメータを主制御装置４４へ送信し、本プログラムを終了する。主制御装置４４では、受信した可変パラメータに基づいて風力発電装置１６を制御するための指令値を生成し、生成した指令値に基づき風力発電装置１６を制御する。
【手続補正９】
【補正対象書類名】明細書
【補正対象項目名】００４１
【補正方法】変更
【補正の内容】
【００４１】
ステップ２０４では、各風力発電装置１６が設置されている緯度、経度、及び標高を風力発電装置１６を識別するための号機番号に関連付けた風車位置テーブルデータと、各風力発電装置１６の風車データとに基づいて、ステップ２００で読み出した風況マップにより示される風速及び風向の情報を更新し、更新した風況マップを記憶部４６に記憶する。なお、風車位置テーブルデータは、記憶部４６に予め記憶されている。
また、風況マップの具体例としては、各風力発電装置１６の号機番号、緯度、経度、標高、風速、風速及び風向の測定日時を関連付けたものである。風況マップは、所定時間間隔毎（例えば、０．１秒毎）に生成されてもよい。
さらに、風況マップは、図５の一例に示すように、例えば、クライアントＰＣ５２の画像表示装置にウインドファーム１０内の風況を表示させる場合に、黒点で風力発電装置１６の緯度及び経度を示し、黒点に付加されている矢印の向きで風向を示すと共に矢印の長さで風速を示すように、視覚的に風況（風向及び風速の分布）が容易に判別可能なように処理されてもよい。
【手続補正１０】
【補正対象書類名】明細書
【補正対象項目名】００４４
【補正方法】変更
【補正の内容】
【００４４】
各風車制御装置１８は、受信した風況予測マップも用いて、風力発電装置１６を制御するための可変パラメータを算出する。これにより、各風車制御装置１８は、風況予測マップによって示される所定時間後のピッチ角指令値及び回転数指令値等の指令値を生成することとなる。そのため、風車制御装置１８は、時々刻々と変化するウインドファームの風況に応じて、風力発電装置１６の制御の変更をより迅速に、また効率的な運転を行うことができる。
また、風況マップは、風車データから風速及び風向を読み出すことで、容易に生成できるものであるため、各風車制御装置１８は、風況予測マップの生成は行わず、風況マップの生成のみを行い、生成した風況マップも用いて、風力発電装置１６を制御するための可変パラメータを算出してもよい。
【手続補正１１】
【補正対象書類名】図面
【補正対象項目名】図３
【補正方法】変更
【補正の内容】
【図３】
2012056564.tif 000012
【手続補正１２】
【補正対象書類名】図面
【補正対象項目名】図４
【補正方法】変更
【補正の内容】
【図４】
2012056564.tif 000013
【手続補正１３】
【補正対象書類名】図面
【補正対象項目名】図５
【補正方法】変更
【補正の内容】
【図５】
2012056564.tif 000014
【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
ウインドファームを構成する複数の風力発電装置の各々に設けられている制御装置であって、
制御対象とする前記風力発電装置に関するデータを、他の前記風力発電装置へ送信する送信手段と、
他の前記風力発電装置から送信されてくる該他の前記風力発電装置に関するデータを受信する受信手段と、
制御対象とする前記風力発電装置に関するデータ、及び前記受信手段によって受信された他の前記風力発電装置に関するデータに基づいて、制御対象とする前記風力発電装置を制御する制御手段と、
を備え、
複数の前記風力発電装置は、予め定められた基準に基づいて複数にグループ化され、
前記受信手段は、制御対象とする前記風力発電装置が属しているグループに属する他の前記風力発電装置に関するデータを受信し、
前記制御手段は、制御対象とする前記風力発電装置に関するデータ、及び前記受信手段によって受信された、制御対象とする前記風力発電装置が属しているグループに属する他の前記風力発電装置に関するデータに基づいて、制御対象とする前記風力発電装置を制御し、
前記基準は、風況又は前記風力発電装置の運転状態に応じて変更可能とされている制御装置。
【請求項２】
前記風力発電装置に関するデータには、該風力発電装置の風速及び風向が含まれ、
前記制御手段は、制御対象とする前記風力発電装置に関するデータ、及び前記受信手段によって受信された他の前記風力発電装置に関するデータから、前記ウインドファーム内の風速及び風向の少なくとも何れか一方の分布を生成し、生成した該分布に基づいて、制御対象とする前記風力発電装置を制御する請求項１に記載の制御装置。
【請求項３】
請求項１又は請求項２記載の制御装置が各々設けられている複数の風力発電装置を備えたウインドファーム。
【請求項４】
複数の前記風力発電装置に関するデータを管理する管理装置を備え、
複数の前記風力発電装置各々に設けられている前記制御装置のうち、所定の制御装置に備えられている前記送信手段は、該所定の制御装置の制御対象とする前記風力発電装置に関するデータ、及び前記受信手段によって受信された他の前記風力発電装置に関するデータを、前記管理装置へ送信する請求項３記載のウインドファーム。
【請求項５】
ウインドファームを構成する複数の風力発電装置の各々に設けられている制御装置で行われる制御方法であって、
制御対象とする前記風力発電装置に関するデータの他の前記風力発電装置への送信、及び他の前記風力発電装置から送信されてくる該他の前記風力発電装置に関するデータの受信を行う第１工程と、
制御対象とする前記風力発電装置に関するデータ、及び受信した他の前記風力発電装置に関するデータに基づいて、制御対象とする前記風力発電装置を制御する第２工程と、
を含み、
複数の前記風力発電装置は、予め定められた基準に基づいて複数にグループ化され、
前記受信手段は、制御対象とする前記風力発電装置が属しているグループに属する他の前記風力発電装置に関するデータを受信し、
前記制御手段は、制御対象とする前記風力発電装置に関するデータ、及び前記受信手段によって受信された、制御対象とする前記風力発電装置が属しているグループに属する他の前記風力発電装置に関するデータに基づいて、制御対象とする前記風力発電装置を制御し、
前記基準は、風況又は前記風力発電装置の運転状態に応じて変更可能とされている風力発電装置の制御方法。
【国際調査報告】
2012056564.tif 000015
2012056564.tif 000016
2012056564.tif 000017
2012056564.tif 000018